(57)【特許請求の範囲】
【請求項１】
写真またはビデオを撮影するカメラを有する電子通信装置と共に使用される装置であって、
鏡面を有する本体と、
前記鏡面と前記電子通信装置に取り外し可能に係合して前記カメラを前記鏡面の前に配置する留め具と、
前記本体に係合して前記鏡面から光を放出する光源と、
制御回路と、前記制御回路に接続された入力装置とを備える装置であり、前記入力装置が、前記カメラを作動させる第１のボタンと、前記光源を制御する、前記制御回路に接続された第２のボタンとを備える装置。
【請求項２】
前記光源が複数の発光ダイオードを備える、請求項１に記載の装置。
【請求項３】
前記留め具が、前記鏡面と係合する第１の部分と、前記電子通信装置と係合するように適合された第２の部分とを備える、請求項２に記載の装置。
【請求項４】
前記留め具の前記第２の部分が、前記留め具の前記第１の部分と回転可能に係合して、前記カメラを横向きに配置することを可能にする、請求項３に記載の装置。
【請求項５】
前記制御回路が通信チップを備える、請求項４に記載の装置。
【請求項６】
前記通信チップが、Ｂｌｕｅｔｏｏｔｈ（登録商標）プロトコルを含む、請求項５に記載の装置。
【請求項７】
前記入力装置がメンブレンスイッチである、請求項５に記載の装置。
【請求項８】
前記本体が第１の磁石（１４６）をさらに備え、前記留め具は、前記留め具を前記本体の前記鏡面に固定するように前記本体の前記第１の磁石（１４６）と磁気的に係合可能な第１の磁石（２３６）を備える、請求項５に記載の装置。
【請求項９】
前記留め具が、前記鏡面上の中央に配置されている、請求項８に記載の装置。
【請求項１０】
前記本体が第２の磁石（１４８）をさらに備え、前記留め具が第２の磁石（２３４）を含み、前記留め具の前記第１の磁石（２３６）及び前記第２の磁石（２３４）が、それぞれ前記留め具を前記本体の前記鏡面に固定するように前記本体の前記第１及び前記第２の磁石（１４６，１４８）と磁気的に係合可能である、請求項９に記載の装置。
【請求項１１】
前記本体が長方形である、請求項１に記載の装置。
【請求項１２】
前記留め具が前記鏡面の外側に延在する、請求項１０に記載の装置。
【請求項１３】
前記留め具の前記第１の部分が、前記留め具の第１磁石（２３６）を収容する空洞（２１８）を含む、請求項１２に記載の装置。
【請求項１４】
前記本体は、ＡＢＳプラスチック及び鏡用ガラスから作製されたベースを備える、請求項１に記載の装置。
【請求項１５】
前記本体と、前記入力装置と、前記制御回路とに係合したハウジングをさらに備える、請求項１に記載の装置。
【請求項１６】
複数の発光ダイオードが、前記鏡面の周囲に配置されている、請求項２に記載の装置。
【請求項１７】
複数の発光ダイオードのそれぞれが、５０／５０  ＬＥＤである請求項１６に記載の装置。
【発明の詳細な説明】
【背景技術】
【０００１】
自撮り写真を撮影することは、写真を一人で、または他者と一緒に撮影するトレンディな方法となっている。通常、カメラの付いているＩＰｈｏｎｅ（登録商標）などの電子通信装置を当人の体から離して保持し、その後トリガを押して撮影することによって、人は自撮り写真を得ている。別の通常の装置では、入れ子式ポールの端部に通信装置を固定して、人はポール及びカメラを所望の位置まで延ばすことが可能になる。そのような通常の方法及び装置は、高品質の自撮り写真を撮影するための容易な方法を提供していない。
【発明の概要】
【０００２】
本発明の１つの目的は、カメラを有するＩＰｈｏｎｅ（登録商標）などの電子通信装置と共に使用されて自撮り写真を撮影する、使い易く高品質の自撮り写真または自撮りビデオを提供する装置を開発することであった。
【０００３】
本発明は、カメラを有するＩＰｈｏｎｅ（登録商標）などの通信装置と共に使用されてＢｌｕｅｔｏｏｔｈ（登録商標）などの無線通信チップにより自撮り写真を撮影することが可能な装置である。この装置は、概して、鏡面を有する本体と、鏡面から光を放出することができる複数の発光ダイオードとを備える。この装置は、通信装置を鏡面に取り外し可能に係合するように適合された留め具をさらに備える。留め具は回転可能であり、通信装置を縦向きや横向きの方向を含むいくつかの姿勢のうちの１つで固定するばね搭載把持アームを備える。この装置はさらに、無線Ｂｌｕｅｔｏｏｔｈ（登録商標）通信チップを有する制御回路と、制御回路に電気的に接続されるメンブレンスイッチなどの入力装置とを備える。入力装置は、発光ダイオードの増光及び減光を制御するボタンと、通信装置のカメラを無線で作動させるカメラ作動ボタンとを備える。動作中、人は留め具を鏡面に取り付け、通信装置のカメラを縦向き、横向き、または他の方向に配置する。次いで、人は、発光ダイオードを所望の強度で点灯させ、手で装置を把持して、所望の写真またはビデオを狙ってカメラを向けることができる。準備が済むと、人がカメラ作動ボタンを押下して、カメラに当該人物または人物達の自撮り写真またはビデオを撮影させる。通常の装置とは異なり、本発明の装置は、人が高品質の自撮り写真またはビデオを容易に撮影することを可能にする。
【０００４】
本発明の以下の説明は、添付の図面を参照してより十分に理解されるであろう。
【図面の簡単な説明】
【０００５】
【図１】垂直な向きまたは縦向きのＩＰｈｏｎｅ（登録商標）などの電子通信装置を示す、本発明の第１の実施形態による、写真を撮影するのに使用される装置の斜視図である。
【図２】電子通信装置を水平な向きまたは横向きに示す、本発明の第１の実施形態による装置の斜視図である。
【図３】ハウジング、ミラーアセンブリ、入力装置、及び留め具を示す、本発明の第１の実施形態による装置の分解図である。
【図４】ミラーアセンブリを収容する空洞と、入力装置を収容する空洞とを示すハウジングの正面図である。
【図５】制御回路及びバッテリを収容する空洞を示すハウジングの背面図である。
【図６】複数の機能ボタンを有する外面を有するメンブレンスイッチと、ワイヤハーネスと、コネクタとを示す入力装置の斜視図である。
【図７】ミラー、光源（ＬＥＤアセンブリ）、及び２つの磁石を示すミラーアセンブリの分解図である。
【図８】接着剤によって取り付けられた２つの磁石、及び光源のＬＥＤを係合するクリアランスホールを示すミラーの背面図である。
【図９】光源（ＬＥＤアセンブリ）の正面図である。
【図１０】光源（ＬＥＤアセンブリ）の底面図である。
【図１１】可動アームが通常の非付勢状態であり、水平な向きまたは横向きに９０度回転した留め具の上面図である。
【図１２】可動アームが完全に伸長され、かつ付勢状態であり、水平な向きまたは横向きに９０度回転した留め具の上面図である。
【図１３】ベース、キャリアハウジング、可動アーム、第１及び第２のばね、及び固定アームを示す留め具の分解図である。
【図１４】第１及び第２の磁石を各々保持する第１及び第２の空洞を示すベースの底面分解図である。
【図１５】垂直な向きまたは水平な向きを含む様々な係止姿勢にキャリアハウジングを回転させるメス型コネクタ（レセプタクル内に配置された機械的ばねの形態をなす）を示すベースの上面分解図である。
【図１６】キャリアハウジングを垂直な向きまたは水平な向きを含む様々な係止姿勢に回転させるメス型コネクタを示すベースの上面図である。
【図１７】ベースのメス型コネクタに回転可能に係合したオス型コネクタを示すキャリアハウジングの底面斜視図である。
【図１８】キャリアハウジングの底面図である。
【図１９】可動アーム及び固定アームを収容する空洞を示すキャリアハウジングの上面図である。
【図２０】第１及び第２の脚部及び把持アームを示す可動アームの上面斜視図である。
【図２１】第１及び第２の脚部内に各々配置されて第１及び第２の機械的ばねを各々収容する第１及び第２のチャネルを示す可動アームの底面図である。
【図２２】キャリアハウジング及び把持アームと係合するベースを示す固定アームの上面斜視図である。
【図２３】キャリアハウジングと係合する平面を示す、固定アームの底面斜視図である。
【図２４】装置の第１の実施形態の電気機械的構成要素及び電気的構成要素を、上位概念で概略的に示したものである。
【図２５】本発明によるライトスタンドの斜視図であり、ベースユニットに固定されたライトユニット、ミラー、横向きにＩＰｈｏｎｅ（登録商標）などの電子通信装置を支持するようにミラーに取り外し可能に係合した留め具、自撮り写真または自撮りビデオの撮影を制御するリモコンユニットを示す図である。
【図２６】電子通信装置を縦向きまたは横向きに取り外し可能に支持するようにミラーに係合した留め具を示すライトユニットの斜視図である。
【図２７】ミラーに取り外し可能に係合するように適合されたライトユニットの第３の可撓性アームの中央の上端に固定されたコネクタの斜視図である。
【図２８】ミラーの正面斜視図である。
【図２９】ミラーの背面斜視図である。
【図３０】制御ユニットの斜視図である。
【図３１】メンブレンスイッチの正面図である。
【図３２】リモコンユニットの上面図である。
【図３３】ライトスタンドの電気機械的構成要素及び電気的構成要素の上位概念の概略図である。
【図３４】ベースユニットに固定されたライトユニット、横向きにＩＰｈｏｎｅ（登録商標）などの電子通信装置を支持するようにライトユニットの中央可撓性アームに取り外し可能に係合された留め具、及び自撮り写真またはビデオの撮影を制御するリモコンユニットを示す、本発明によるライトスタンドの斜視図である。
【図３５】ライトユニットの中央可撓性アームのオス型コネクタと係合する留め具の上面斜視図である。
【図３６】ライトユニットの中央可撓性アームのオス型コネクタと係合するメス型コネクタを有するベースを示す留め具の底面斜視図である。
【図３７】ベースの上面図である。
【図３８】ベースの底面図である。
【図３９】図３７の線３８−３８に沿って得られた断面図である。
【発明を実施するための形態】
【０００６】
図１及び図２を参照すると、本発明は、カメラ５２を有するＩＰｈｏｎｅ（登録商標）などの電子通信装置５０と共に使用されて、Ｂｌｕｅｔｏｏｔｈ（登録商標）などの無線通信チップにより自撮り写真または自撮りビデオを撮影することが可能な装置１００である。通信装置５０は、スマートフォン、ビデオ録画装置、及びカメラを含むがこれに限定されないＢｌｕｅｔｏｏｔｈ（登録商標）などの通信船で稼働するカメラを有するタイプの電子装置であってもよい。装置１００は、概して、鏡面１３３を有する本体１０２を備える。装置１００は、カメラ５２を鏡面１３３の前に配置するように本体１０２の鏡面１３３及び通信装置５０に取り外し可能に係合された留め具２０８をさらに備える。留め具２０８は、ばね搭載把持アーム２７６及び２９０を備え、これは通信装置５０の左側部５４及び右側部５６を各々固定し、垂直な向きまたは縦向き（図１）と、水平な向きまたは横向き（図２）とを含むいくつかの姿勢のうちの１つで通信装置５０を支持するように適合される。本体１０２は、Ｂｌｕｅｔｏｏｔｈ（登録商標）通信チップなどの無線通信チップ１６０（図示せず）を有する制御回路１８４（図示せず）をさらに備える。本体１０２は、鏡面１３３の周囲の内側及び付近に配置されて制御回路１８４と電気的に接続された、発光ダイオードなどの光源１５０をさらに備える。作動時に、光源１４０は、鏡面１３３から光を放出して、鏡面１３３の前の写真撮影エリアを照らす。本体１０２は、制御回路１８４に電気的に接続されたメンブレンスイッチなどの入力装置１９２をさらに備える。入力装置１９２は、概して、光源１５０の強度を制御する増光ボタン１９６及び減光ボタン１９８、ならびにカメラ５０を無線で作動させるカメラ作動ボタン２０４を備える。入力装置１９２は、通信チップ１９０のオンとオフを制御する通信チップ作動ボタン２０２をさらに備える。動作中、人は留め具２０８を鏡面１３３に取り付け、カメラ５０を縦向き、横向きまたは他の方向に配置する。次に、人は光源１５０を所望の強度で点灯させ、手で装置１００を把持して、所望の写真を狙って通信装置５０のカメラ５２を向けることができる。準備が済むと、人はオン／オフボタン２０２を押して通信チップ１９０をオンにし、次に人が通信装置５０を装置１００の通信チップ１９０とペアリングすることができる。次に、人はカメラ作動ボタン２０４を押してカメラ５２に当該人物または人物達の自撮り写真または自撮りビデオを撮影させることができる。通常の装置とは異なり、装置１００は、人が高品質の自撮り写真または自撮りビデオを撮影することを可能にする。
【０００７】
図３を参照すると、本体１０２は、概して、ハウジング１０４、ミラーアセンブリ１３０、先に特定した入力装置１９２及び制御回路１８４、及びバッテリ２０７を備える。ミラーアセンブリ１３０は、ハウジング１０４の前部１０６内に固定的に係合する。同様に、入力装置１９２は、ハウジング１０４の前部１０６内に固定的に係合し、前部１０６からアクセス可能である。制御回路１８４及びバッテリ２０７は、ハウジング１０４の後部１２０内に配置され、後部１２０からアクセス可能である。
【０００８】
図４を参照すると、ハウジング１０４の前部１０６は、ミラーアセンブリ１３０を収容する空洞１０８を含む。空洞１０８は、接着剤などの通常の手段によって空洞１０８内に固定されたミラーアセンブリ１３０を支持する支持リブ１１０を含む。前部１０６は、組み立てられたときに、ミラーアセンブリ１３０の磁石１４６及び１４８（後述）を挿入できる寸法を有する空洞１１２及び空洞１１４をさらに含む。本明細書でさらに詳しく説明するように、空洞１１２及び１１４は、ミラーアセンブリ１３０の組立てにおけるガイドとしても使用される。前部１０６は、入力装置１９２を収容するように適合された空洞またはコンパートメント１１６をさらに含む。入力装置１９２は、接着剤といった通常の手段によって、空洞１１６内に固定される。空洞１１６は、空洞１１６の床１１８に形成された開口部１１９をさらに含み、ワイヤハーネス２０５及びコネクタ２０６が通り抜けて、ハウジング１０４の後部１２０に形成された空洞１２２（後述）に配置された制御回路１８４と接続されるようにアクセスを提供する。
【０００９】
図５を参照すると、ハウジング１０４の後部１２０は、制御回路１８４及びバッテリ２０７を収容する寸法を有する空洞またはコンパートメント１２２を含む。空洞１２２は、制御回路１８４及び／またはバッテリ２０７の交換に備えて、ねじ（図示せず）などの通常の手段によってボス１２４に取り外し可能に固定されたカバー１２６（図３）で閉じてもよい。ハウジング１０４及びカバー１２６は、プラスチックで作られ、通常の成形プロセス及び成形操作によって製造される。
【００１０】
図６を参照すると、入力装置１９２は、光源オン／オフボタン１９４を含むメンブレンスイッチであり、当該光源オン／オフボタンは、押下されると、光源１５０をオンまたはオフにするように構成されている制御回路１８４に信号を送信する。入力装置１９２は、増光ボタン１９６をさらに備え、当該増光ボタンは、押下されると、光源１５０の強度を増強するように構成されている制御回路１８５に信号を送信する。入力装置１９２は、減光ボタン１９８をさらに備え、当該減光ボタンは、押下されると、光源１５０の強度を減少させるように構成されている制御回路１８５に信号を送信する。入力装置１９２はさらに、通信チップオン／オフボタン２０２を備え、当該通信チップオン／オフボタンは、押下されると、制御回路１８４の無線通信チップ１９０（後述）と通信装置５０の無線通信チップとのペアリングまたはペア解除を行うように構成されている制御回路１８４へ信号を送信する。入力装置１９２は、通信チップ状態インジケータライト２０３をさらに備え、当該通信チップ状態インジケータライトは、制御回路１８４の無線通信チップ１９０が通信装置５０の無線通信チップとペアになっていないがオンのときに点滅する。通信チップ状態インジケータライト２０３は、制御回路１８４の無線通信チップ１９０が通信装置５０の無線通信チップとペアになっている場合、常時オンのままである。入力装置１９２はさらに、カメラ作動ボタン２０４を備え、当該カメラ作動ボタンは、押下されると、通信装置５０の通信チップに信号を送信してカメラ５２をトリガし、または作動させて画像を撮影したり、ビデオを開始または停止したりするように構成されている制御回路１８４に信号を送信する。入力装置１９２は、バッテリ寿命インジケータボタン２００及びバッテリ寿命インジケータライト２０１をさらに備え、これらはバッテリ２０７の残りのチャージを示す。入力装置１９２は、制御回路１８４の対応するコネクタ（図示せず）と取り外し可能に係合するワイヤハーネス２０５及びコネクタ２０６をさらに備える。メンブレンスイッチの形態の入力装置１９２は、Ｘｉｎａｈｕａ  １  Ｒｏａｄ，Ｂａｏａｎ  ４２ｔｈ  Ｄｉｓｔｒｉｃｔ，Ｓｈｅｎｚｈｅｎ，ＣｈｉｎａにあるＳｈｅｎｚｈｅｎ  Ｈａｉｗｅｎ  Ｍｅｍｂｒａｎｅ  Ｓｗｉｔｃｈ  Ｃｏ．，Ｌｔｄ．（ｗｗｗ．ｓｚｈａｉｗｅｎ．ｃｏｍ）より入手可能である。
【００１１】
図７〜図８を参照すると、ミラーアセンブリ１３０は、概して、本体１３２、磁石１４６及び１４８、及び光源１５０を備える。本体１３２は、前方鏡面１３３（図７）と、左側境界部１３５、上側境界部１３６、右側境界部１３７、下側境界部１３８、及び中央部１３９を有する後面１３４（図８）とを備える。本体１３２は、さらに、左側境界部１３５に沿って配置された複数のクリアランスホール１４１を備える。本体１３２は、さらに、上側境界部１３６に沿って配置された複数のクリアランスホール１４２を備える。本体１３２は、さらに、右側境界部１３７に沿って配置された複数のクリアランスホール１４３を備える。本体１３２は、さらに、下側境界部１３８に沿って配置された複数のクリアランスホール１４４を備える。クリアランスホール１４１、１４２、１４３、及び１４４は、光源５０が作動すると、クリアランスホール１４１、１４２、１４３、１４４を介して鏡面１３３から光が放出されるような寸法を有する。磁石１４６及び１４８は、組立て中に接着剤などの通常の手段により後面１３６の中央部１３９に固定される。ミラーアセンブリ１３０は、接着剤などの通常の手段によってハウジング１０４の空洞１０８に固定される。本体１３２はＡＢＳプラスチックから作製され、鏡面１３４は、３ｍｍの鏡用ガラスから作製されて接着剤などの通常の手段によって本体１３２に固定される。鏡面１３４を有する本体１３２は、シートの形態で容易に入手可能であり、通常の切断操作によって任意の所望のサイズ及び形状に切断することができる。磁石１４６及び１４８は、ＡＩＭ  Ｍａｇｎｅｔ  Ｓｈｅｎｚｈｅｎ  Ｃｏ．，ＬＴＤ，Ｎｏ．１６−３，Ｓｏｎｇｓｈａｎ  Ｗｅｓｔ  Ｒｏａｄ，Ｓｈａｊｉｎｇ  Ｓｔｒｅｅｔ，Ｂａｏａｎ，  Ｓｈｅｎｚｈｅｎ，  Ｃｈｉｎａ（ｗｗｗ．ｍａｇｎｅｔｌ６８．ｃｏｍ）から部品番号Ｎ３５として入手可能なネオジムディスク磁石である。他の実施形態では、ミラーアセンブリ１３０の本体１３２をかなり大きくし、２つより多くの磁石を含んで留め具２０８の位置を鏡面の周囲で調整できるようにしてもよい。
【００１２】
図９及び図１０を参照すると、光源１５０の正面図（図９）及び光源１５０の背面図（図１０）が示されている。光源１５０は、第１のプリント回路基板アセンブリ１５２、第２のプリント回路基板アセンブリ１６０、第３のプリント回路基板アセンブリ１６８、及び第４のプリント回路基板アセンブリ１７６を備える。第１のプリント回路基板アセンブリ１５２は、概して、上面３０２及び下面３０４を有するベース３００と、接着剤などの通常の手段によって上面３０２に取り付けられたプリント回路基板３０６、３０８、３１０、３１２及び３１４とを備える。プリント回路基板アセンブリ１５２アセンブリは、表面実装プロセスなどの通常の手段によってプリント回路基板３０６、３０８、３１０、３１２、及び３１４の各々に接続された複数の発光ダイオード１５４をさらに備える。発光ダイオード１５４は、互いに電気的に並列に接続され、制御回路１４６によって制御される。プリント回路基板アセンブリ１５２は、発光ダイオード１５４が中央に配置されるよう、及び／またはミラーアセンブリ１３０（図８）の本体１３２のクリアランスホール１４１と位置合わせされるように、通常の手段によって本体１３２の鏡面１３６の左側境界部１３５に接着固定される。第２のプリント回路基板アセンブリ１６０は、概して、上面３１８及び下面３２０を有するベース３１６と、接着剤などの通常の手段によって上面３１８に取り付けられたプリント回路基板３２２、３２４、３２６及び３２８とを備える。プリント回路基板アセンブリ１６０は、表面実装プロセスなどの通常の手段によって、プリント回路基板３２２、３２４、３２６、及び３２８の各々に接続された複数の発光ダイオード１６２をさらに備える。発光ダイオード１６２は、互いに電気的に並列に接続され、制御回路１４６によって制御される。プリント回路基板アセンブリ１６０は、発光ダイオード１６２が中央に配置されるよう、及び／または本体１３２（図８）のクリアランスホール１４２と位置合わせされるように、通常の手段によって後面１３６の上側境界部１３６に接着固定される。第３のプリント回路基板アセンブリ１６８は、概して、上面３３２及び下面３３４を有するベース３３０と、接着剤などの通常の手段によって上面３３２に取り付けられたプリント回路基板３３６、３３８、３４０、３４２及び３４４とを備える。プリント回路基板アセンブリ１６８はさらに、表面実装プロセスなどの通常の手段によってプリント回路基板３３６、３３８、３４０、３４２、及び３４４の各々に接続された複数の発光ダイオード１７０を備える。プリント回路基板アセンブリ１６８は、発光ダイオード１７０が中央に配置されるよう、及び／または本体１３２（図８）のクリアランスホール１４３と位置合わせされるように、通常の手段によって本体１３２の後面１３６の右側境界部１３７に接着固定される。第４のプリント回路基板アセンブリ１７６は、概して、上面３４８及び下面３５０を有するベース３４６と、接着剤などの通常の手段によって上面３４８に取り付けられたプリント回路基板３５２、３５４、３５６及び３５８とを備える。プリント回路基板アセンブリ１７６は、表面実装プロセスなどの通常の手段によって、プリント回路基板３５２、３５４、３５６、及び３５８の各々に接続された複数の発光ダイオード１７８をさらに備える。プリント回路基板アセンブリ１７６は、発光ダイオード１７８が中央に配置されるよう、及び／または本体１３２（図８）のクリアランスホール１４２と位置合わせされるように、通常の手段によって本体１３２の後面１３６の下側境界部１３８に接着固定される。ワイヤ１５６、１５８、１６４、１６６及び１６８は、発光ダイオード１５４、１６２、１７０、１７８を互いに並列に接続するように設けられている。ワイヤ１７２、１７４間の適切な電圧により、光源１５０がオンになる。さらに十分に説明するように、ワイヤ１７２及び１７４は、制御回路１８４及びバッテリ２０７を、光源１５０と電気的に接続する。光源１５０の発光ダイオードは、５０／５０  ＬＥＤなどの任意のタイプの光のダイオードであってよい。プリント回路基板アセンブリ１６０、１６０、１６８、及び１７６のベース３００、３１６、３３０、及び３４６は、発光ダイオード１５４、１６２、１７０、及び１７８を冷却するヒートシンクとして作用する。ベース３００、３１６、３３０、及び３４６は、広く利用可能である６０６３のグレードのアルミニウムで作られる。同様に、プリント回路基板３０６、３０８、３１０、３１２、３１４、３２２、３２４、３２６、３２８、３３６、３３８、３４０、３４２、３４４、３５２、３５４、３５６、及び３５８は、広く入手可能であり、３つまたは４つの発光ダイオードを備えるアセンブリに提供可能である。
【００１３】
図１１〜図１３を参照すると、留め具２０８が、引っ込み姿勢（図１１）及び伸長姿勢（図１２）で示されている。伸長姿勢では、通信装置５０を把持アーム２７６と把持アーム２９０との間に挿入することができる。引っ込み姿勢では、通信装置５０の側面５４と側面５６とが、把持アーム２７６と把持アーム２９０とによって固定される。図１３に示すように、留め具２０８は概して、ベースアセンブリ２１０と、ベースアセンブリ２１０と回転可能に係合されたキャリアハウジング２４０と、可動アーム２６２と、ばね２７８及び２８０と、固定アーム２８２とを備える。
【００１４】
図１４〜図１６を参照すると、ベースアセンブリ２１０は、概して、後部２１２（図１４）及び前部２２２（図１５）を有する本体２１１を備える。後部２１２は、磁石２３４を収容するように設計された空洞２１４を含む。カバー２１６は、磁石２３４をその中に固定するために、接着剤などの通常の手段によって空洞２０４に固定される。後部２１２は、磁石２３６を収容するように設計された第２の空洞２１８をさらに含む。カバー２２０は、マグネット２３６をその中に固定するために、接着剤などの通常の手段によって空洞２１８に固定される。磁石２３４及び２３６は、Ｎｏ．１６−３，Ｓｏｎｇｓｈａｎ  Ｗｅｓｔ  Ｒｏａｄ，Ｓｈａｊｉｎｇ  Ｓｔｒｅｅｔ，Ｂａｏａｎ，Ｓｈｅｎｚｈｅｎ，ＣｈｉｎａのＡＩＭ  Ｍａｇｎｅｔ  Ｓｈｅｎｚｈｅｎ  Ｃｏ．，ＬＴＤ．（ｗｗｗ．ｍａｇｎｅｔｌ６８．ｃｏｍ）から部品番号Ｎ３５として入手可能なネオジムディスク磁石である。本体２１１の前部２２２は、空洞２２４を含み、空洞２２４内に配置されたメス型コネクタ２２６を備える。メス型コネクタ２２６は、キャリアハウジング２４０のオス型コネクタ２４４（後述）と回転可能に係合する。メス型コネクタ２２６は、レセプタクル２２８と、レセプタクル２２８に配置された機械的ばね２２９とを備える。機械的ばね２２９は、カバー２３８によってレセプタクル２２８内に保持される。カバー２３８は、メス型コネクタ２２６を有するキャリアハウジング２４０のオス型コネクタ２４４（後述）の自由な回転を可能にする中央開口部２３７を備える。カバー２３８は、ねじ（図示せず）が空洞２２４の対応するボスに固定されることを可能にする開口部２３９をさらに備える。機械的ばね２２９は、内側に曲げられまたは付勢され得る突起２３０及び２３２を備える。より詳細に説明するように、突起２３０及び２３２は、オス型コネクタ２４４、したがってキャリアハウジング２４０を、垂直な向きもしくは縦向き、または水平な向きもしくは横向きを含むいくつかの姿勢の１つで係止する。カバー２３８は、ねじ（図示せず）などの通常の手段によって空洞２２４に固定される。カバー２３８は、開口部またはクリアランスホール２３９を備え、キャリアハウジング２４０のオス型コネクタ２４が開口部２３９を通ってメス型コネクタ２２６と係合することができるようにする。ベースアセンブリ２１０は、プラスチックで作られ、通常の成形プロセスによって製造される。
【００１５】
図１７〜図１９を参照すると、キャリアハウジング２４０は、後部２４２（図１７）及び前部２４８（図１８）を備える。キャリアハウジング２４０は、後部２４２から外向きに延びるオス型コネクタ２４４をさらに備える。オス型コネクタ２４４は、複数の位置でベースアセンブリ２００のメス型コネクタ２２６と回転可能に係合して固定されるよう適合される。図示の実施形態では、オス型コネクタ２４４は、複数の窪み２４６を有する歯車２４５を備える。歯車２４５は、歯車２４５に用いられる窪み２４６の数の半分に等しい数の位置で、ベースアセンブリ２００のメス型コネクタ２２６のレセプタクル２２８と回転可能に係合し固定される。歯車２４５の対向する窪み２４６の各対は、歯車２４５がレセプタクル２２８（図１６）内で回転するときに、突起２３０及び２３２（図１６）によって所与の位置に係止される。キャリアハウジング２４０は、前部２４８に形成された空洞２５０をさらに含む。空洞２５０は、チャネル部２５２、チャネル部２５６、及び空洞２５０を取り囲むフランジ部分２６０を含む。キャリアハウジング２４０は、チャネル部２５２の端部に配置されたアンカー２５４をさらに備える。アンカー２５４は、ばね２７８（図１３）の一端を固定する働きをする。キャリアハウジング２４０は、チャネル部２５６の端部に配置されたアンカー２５８をさらに備える。アンカー２５８は、チャネル部２５６（図１３）内でばね２８０の一端を固定する働きをする。キャリアハウジング２４０は、可動アーム２６２の停止部材２６５（後述）と係合することができるチャネル部２５２の内側端部に形成された壁２５５をさらに備える。キャリアハウジング２４０は、チャネル２５６の内側端部に形成された壁２５９をさらに備え、当該壁は可動アーム２６２の停止部材２７１（後述）と係合することができる。壁２５５及び２５９は、停止部材２６５及び２７１と各々係合して、可動アーム２６２の摺動移動を、キャリアハウジング２４０のチャネルの空洞２５２及び２５６の最も外側の箇所までに制限することができる。キャリアハウジング２４０は、プラスチックで作られ、通常の射出成形プロセス及び射出成型操作によって製造される。
【００１６】
図２０及び図２１を参照すると、可動アーム２６２は、左脚部２６４と、右脚部２７０と、左脚部２６４及び右脚部２７０に係合する把持アーム２７６とを備える。左脚部２６４は、内側端部２６７及び外側端部２６８を有するチャネル２６６を備える。右脚部２７０は、内側端部２７３及び外側端部２７４を有するチャネル２７２を備える。チャネル２６６及び２７２は、ばね２７８及び２８０を各々囲み、キャリアハウジング２４０のチャネル部２５２及び２５６内で可動アーム２６２を非付勢状態（ばね２７８及び２８０が圧縮されていない）に押し戻すまたは動かす付勢をばね２７８及び２８０内に生じながら、把持アーム２７６がキャリアハウジング２４０の外側に、ある距離伸長または摺動することを可能にするように適合される。可動アーム２６２は、キャリアハウジング２４０のチャネル部２５２の壁２５５と係合し得る停止部材２６５と、キャリアハウジング２４０のチャネル部２５６の壁２５９と係合し得る停止部材２７１とをさらに備え、可動アーム２６２がキャリアハウジング２４０の外側へ摺動移動するのを停止または制限する。図示している実施形態では、可動部材２６２の把持アーム２７６は、把持アーム２９０から最大約８０ｍｍまで広げられまたは拡張し得る。可動アーム２６２は、プラスチックで作られ、通常の射出成形プロセス及び射出成形操作によって製造される。
【００１７】
図２２及び図２３を参照すると、固定アーム２８２は、ベース２８４及び把持アーム２９０を備える。ベース２８４は、ねじ（図示せず）などの通常の手段によって固定アーム８２をキャリアハウジング２４０に固定的に係合させるための開口部２８６及び２８８を備える。また、固定アームは可動アーム２６２が往復で摺動移動するのを可能にしながら、キャリアハウジング２４０の空洞２５０内に可動アーム２６２を収容するように働く。固定アーム２８２は、プラスチックで作られ、通常の射出成形プロセス及び射出成形操作によって製造される。
【００１８】
図２４を参照すると、上位概念の概略図により、入力装置１９２、制御回路１８４、バッテリ２０７、及び発光ダイオード１５４、１６２、１７０、及び１７８が示されている。制御回路１８４は、概して、マイクロコントローラ１８８を備え、当該マイクロコントローラは無線通信チップ１９０及びアンテナ１９１と、プリント回路基板１８６（図示せず）によって電気的に接続されている。マイクロコントローラ１８８は、入力装置１９２及びバッテリ２０７と通常の配線及び基板搭載コネクタにより電気的に接続される。マイクロコントローラ１８８は、光源１５０の発光ダイオード１５４、１６２、１７０及び１７８と、トランジスタ１８９によって電気的に接続され、パルス幅変調によって光源１５０の強度を制御する。マイクロコントローラ１８８は、メモリシステム（図示せず）と、メモリシステムに記憶されたソフトウェアモジュール（図示せず）とを備える。マイクロコントローラ１８８は、Ａｒｄｕｉｎｏ  Ｃｏｒｐｏｒａｔｉｏｎ（ｗｗｗ．ａｒｄｕｉｎｏ．ｃｃ／ｅｎ）製の、１５０  Ｖａｒｉｃｋ  Ｓｔｒｅｅｔ，  Ｎｅｗ  Ｙｏｒｋ，  ＮＹ  １００１３のＡｄａｆｒｕｉｔ  Ｉｎｄｕｓｔｒｉｅｓ，  Ｉｎｃ．（ｈｔｔｐ：／／ｗｗｗ．ａｄａｆｒｕｉｔ．ｃｏｍ）から部品番号５０としてオンラインで入手可能なＡｒｄｕｉｎｏ  Ｕｎｏ  Ｒｅｖ３タイプのコントローラであってもよく、当該コントローラはソフトウェアモジュールでプログラムすることができる。マイクロコントローラ１８８は、現在及び／または将来開発される任意のタイプの電子回路及び／またはディスクリート回路とすることができる。ソフトウェアモジュールは、入力装置１９２（図６）の様々なボタンの所望の機能に基づいて書き込まれるソフトウェアまたはコードで容易に書き込むことができる。例えば、ソフトウェアモジュールは、トランジスタ１８９に制御信号を送信して、入力装置１９２から受信した信号に基づいて発光ダイオード１５４、１６２、１７０、及び１７８の強度を制御するようにトランジスタ１８９に制御信号を送信することをマイクロコントローラ１８８に指示するよう構成されたソフトウェアまたはコードを含む。ソフトウェアモジュールは、入力装置１９２から受信した信号に基づいて制御信号を通信チップ１９０に送信することをマイクロコントローラ１８８に指示するように構成されたソフトウェアをさらに含む。マイクロコントローラ１８８は、Ｃ／Ｃ＋＋プログラミング言語でプログラミングまたは実装することができる。バッテリ２０７は、マイクロコントローラ１８８に給電するために設けられている。バッテリ２０７は、Ｎｏ．  ９−１０  Ｂｕｉｌｄｉｎｇ，  Ｊｕｎｘｉｎ  Ｉｎｄｕｓｔｒｉａｌ  Ｚｏｎｅ，  Ｇｕａｎｌａｎ  Ｓｔｒｅｅｔ，  Ｂａｏ‘ａｎ  Ｄｉｓｔｒｉｃｔ，  Ｓｈｅｎｚｈｅｎ  Ｃｉｔｙ，  Ｇｕａｎｇｄｏｎｇ，  ＣｈｉｎａのＳｈｅｎｚｈｅｎ  Ｊｉｎｋｅ  Ｅｎｅｒｇｙ  Ｄｅｖｅｌｏｐｍｅｎｔ  Ｃｏ．，  Ｌｔｄ．から部品番号ＪＰ５５４１４１として入手可能な１，０００ｍＡの再充電式バッテリである。バッテリ２０７は、マイクロコントローラ１８８及び任意の他の所望の回路構成要素に電力を供給するのに適した任意のタイプの電源、好まし��は再充電可能なものからなり得る。無線通信チップ１９０は、２Ｆ，  Ｂｕｉｌｄｉｎｇ  Ｃ２，  Ｈｕａｆｅｎｇ  Ｉｎｄｕｓｔｒｉａｌ  Ｚｏｎｅ，  Ｘｉｘｉａｎｇ  Ａｖｅｎｕｅ，  Ｂａｏａｎ，  Ｓｈｅｎｚｈｅｎ，  ＣｈｉｎａのＳｈｅｎｚｈｅｎ  Ｔｅｃｈｔｉｏｎ  Ｅｌｅｃｔｒｏｎｉｃｓ  Ｃｏ．，ＬＴＤ（ｗｗｗ．ｔｅｃｈｔｉｏｎ．ｃｎ）から部品番号ＴＨ０８として入手可能なＢｌｕｅｔｏｏｔｈ（登録商標）通信チップである。
【００１９】
本発明の装置１００は、自撮り写真を撮影する通常の装置に対し大幅な改良をもたらす。人は、光源１５０を所望の強度に点灯させ、手で装置１００を把持して、所望の写真を狙ってカメラ５２を向けることができる。準備が済むと、人はカメラ作動ボタン１９４を押下してカメラ５２に当該人物または人物達の自撮り写真または自撮りビデオを撮影させることができる。通常の装置とは異なり、装置１００は、人が高品質の自撮り写真または自撮りビデオを迅速に撮影することを可能にする。光源１５０は、さらに高品質の自撮り写真または自撮りビデオを撮影するために、鏡面１３３の前の写真撮影エリアを照らす。
【００２０】
図２５を参照すると、カメラを有するＩＰｈｏｎｅ（登録商標）などの通信装置５０と共に使用されて、Ｂｌｕｅｔｏｏｔｈ（登録商標）などの無線通信チップにより自撮り写真または自撮りビデオを撮影することが可能な、本発明による自撮りライトスタンド４００が、示されている。ライトスタンド４００は、概して、三脚スタンド４０２、光源４７０及び４７８と制御ユニット４２６を備えるライトユニット４２２、及び鏡面４９８を備えるミラーユニット４８６を備える。ライトスタンド４００はさらに、留め具２０８（前述）を備え、留め具２０８は、通信装置５０を、垂直な向きまたは縦向きと、水平な向きまたは横向きとを含むいくつかの姿勢のうちの１つで鏡面４９８に固定する。ライトスタンド４００は、ワイヤレス信号を制御ユニット４２７に送信して、光源２７０及び４８７の光強度及び／または温度を上昇及び／または低下させ、自撮り写真または自撮りビデオを撮影するために通信装置５０のカメラ５２を作動させるように適合されるリモコン５００をさらに備える。
【００２１】
引き続き図２５を参照すると、スタンド４０２は、コネクタ４１０に可動に固定された脚部４０５、４０６、４０８を有するベース４０４を備える。スタンド４０２は、下側支持ポール４１０と、下側支持ポール４１０と入れ子式に係合した中間支持ポール４１４とをさらに備える。スタンド４０２は、下側支持ポール４１０の上端に固定されたカラー４１３と、中間支持ポール４１４に固定されたカラー４１５とをさらに備える。カラー４１５は緩める及び／または締め付けることができ、その結果中間ポール４１４は、下側支持ポール４１０内で入れ子式に動かされることで、任意の高さに調整することができる。スタンド４０２は、上側支持ポール４１８と、中間支持ポール４１４内で入れ子式に動かされることで上側支持ポール４１８を任意の高さに調整できるように緩められ、及び／または締め付けられ得るカラー４１９とをさらに備える。上側支持ポール４１８の上端は、ライトユニット４２２の制御ユニット４２６のハウジング４２８に取り外し可能に係合する。
【００２２】
図２６を参照すると、ライトユニット４２２は概して、制御ユニット４２６と、左側可撓性アーム４５０と、右側可撓性アーム４５６と、中央可撓性アーム４６２とを備える。ライトユニット４２２は、左側可撓性アーム４５０と係合する光源４７０と、右側可撓性アーム４５６と係合する光源４７８とをさらに備える。光源４７０及び４７８の各々は、複数の寒色系の単色発光ダイオード４７６、及び一般的に知られていて広く入手可能な複数の暖色系の単色発光ダイオード４７７を備える。代替の実施形態では、複数の３色ＲＧＢ発光ダイオードを使用することができる。さらに示されるように、ミラーユニット４８６は、中央可撓性アーム４６２（図２６）のコネクタ４６８（後述）に取り外し可能に係合する。留め具２０８は、第１の実施形態で説明した通信装置（図示せず）を、垂直な向きまたは縦向きと、水平な向きまたは横向きとを含むいくつかの姿勢のうちの１つに固定するために、ミラーユニット４８６の鏡面４９８に取り外し可能に係合する。
【００２３】
図２７を参照すると、オス型コネクタ４６８が、ねじやリベットなどの通常の手段によって中央可撓性アーム４６２の上端に固定されたアンカー６００に取り付けられて示されている。オス型コネクタ４６８は、ねじなどの通常の手段によってアンカー６００に固定される。アンカー６００は、概して、本体６０２と、ねじ６０６と、可動オス型コネクタ６０４とを備えている。ねじ６０６を緩めることにより、可動オス型コネクタ６０４を上方または下方に回転させることができる。ねじ６０６を締め付けることにより、可動オス型コネクタ６０４が所与の位置に固定される。オス型コネクタ４６８は、ミラーユニット２６８のメス型コネクタ４９４と係合する複数の突起４６９を備える。オス型コネクタ４６８及びアンカー６００は、プラスチックで作られ、通常の成形プロセスによって製造される。
【００２４】
図２８及び図２９を参照すると、ミラーユニット４６８は、ハウジング４８８及び鏡面４９８を有するミラー４９６を備える。ハウジング４８８は、接着剤などの通常の手段によりミラー４９６を固定する空洞（図示せず）を有する前部４９０を備える。ハウジング４８８は、後部４９２と、中央に配置され、後部４９２の一部分として形成されたメス型コネクタ４９４とをさらに備える。当技術分野で周知のように、メス型コネクタ４９４は、オス型コネクタ４７８の突起４６９を取り外し可能に収容して固定するように構成された複数のスロット４９５を備え、その結果、ミラーユニット４６８は、ライトユニット４２２の中央可撓性アーム４６２の上端４６６に取り外し可能かつ調整可能に係合し得る。
【００２５】
図３０及び図３１を参照すると、制御ユニット４２６は、ハウジング４２８と、ハウジング４２８の側壁４３０に取り付けられた入力装置４４４とを備える。入力装置４４４は、メンブレンスイッチであり、光源４７０及び４７８の強度を各々上昇及び低下させるボタン４４６及び４４７を含む。ボタン４４６または４４７を押したままにすることで、光源４７０及び４７８がオンまたはオフになる。入力装置４４４は、光源４７０及び４７８の温度を各々上昇または低下させるボタン４４８及び４４９をさらに含む。制御ユニット４２６は、入力装置４４４と光源４７０及び４７８とに電気的に接続された通常の手段によって、プリント回路基板４３４にアセンブリされた制御回路４３２（図示せず）をさらに備える。本明細書でさらに十分に説明するように、制御回路４３２は、リモコン５００（図３２）によって作動され得るＢｌｕｅｔｏｏｔｈ（登録商標）などの通信チップ４３８を含み、当該通信チップは、写真またはビデオを撮影するように通信装置５０の通信チップに無線信号を送信してカメラ５２を作動させることができる。制御回路４３２はさらに、光源４７０及び４７８の強度及び／または光源４７０及び４７８の温度を上昇させたり低下させたりするために、リモコン５００からの無線信号を受信する回路を含む。
【００２６】
図３２を参照すると、リモコン５００は、ハウジング５０１と、作動時に光源４７０及び４７８の強度を上昇させる信号を制御回路４３２に送信する増光ＬＥＤボタン５０４とを備える。リモコン５００は減光ＬＥＤボタン５０５を備え、このボタンは作動時に制御回路４３２に信号を送信し、光源４７０及び４７８の強度を低下させる。リモコン５００はＬＥＤ温度上昇ボタン５０６を備え、当該ＬＥＤ温度上昇ボタンは作動時に制御回路４３２にＲＦ信号を送信し、光源４７０及び４７８の温度を上昇させる。リモコン５００はＬＥＤ温度低下ボタン５０８を備え、当該ＬＥＤ温度低下ボタンは光源４７０及び４７８の温度を低下させる信号を作動時に制御回路４３２に送信する。リモコン５００は固定暖温ボタン５１０をさらに備え、当該固定暖温ボタンは作動時に制御回路４３２に信号を送り、光源４７０及び４７８の温度を約２７００Ｋの十分に暖かい温度に設定する。リモコン５００はさらに固定中間温度ボタン５１２を備え、当該固定中間温度ボタンは作動時に制御回路４３２に信号を送信し、光源４７０及び４７８の温度を約４２００Ｋという中程度の温度に設定する。リモコン５００はさらに固定寒温ボタン５１４を備え、当該固定寒温ボタンは作動時に制御回路４３２に信号を送信し、光源４７０及び４７８の温度を約５６００Ｋの十分に寒い温度に設定する。リモコン５００はさらに第１のメモリボタン５１６を備え、当該第１のメモリボタンは作動時に制御回路４３２に信号を送信し、光源４７０及び４７８の強度及び温度を予め記憶されたレベルに設定する。リモコン５００はさらに第２のメモリボタン５１８を備え、当該第２のメモリボタンは作動されると制御回路４３２に信号を送信し、光源４７０及び４７８の強度及び温度を予め記憶されたレベルに設定する。リモコン５００はさらに第３のメモリボタン５２０を備え、当該第３のメモリボタンは作動時に制御回路４３２に信号を送信し、光源４７０及び４７８の強度及び温度を予め記憶されたレベルに設定する。リモコン５００はさらにカメラ作動ボタン５２２を備え、当該カメラ作動ボタンは作動時に制御回路４３２に信号を送信し、写真またはビデオを撮影するように通信装置５０の通信チップに無線信号を送信してカメラ５２を作動させる。リモコン５００は、赤外線（ＩＲ）タイプのリモコンであり、ＩＲトランジスタ５０２（図３３）及び発光ダイオード（図示せず）を含む。リモコン５００は、一般に知られており、複数のチャネルまたはカスタム設計で広く利用可能である。リモコン５００は、無線周波（ＲＦ）タイプのリモコンや将来開発される任意の技術などの他の任意のタイプのリモコンであってもよい。
【００２７】
図３３を参照すると、上位概念のブロック図が、入力装置４４４、制御回路４３２、光源４７０及び４７８の発光ダイオード４７６及び４７７、及び電源４４２を示している。制御回路４３２は、概して、無線通信チップ４３６及びアンテナ４３７がプリント回路基板４３４（図３０）によって電気的に接続されたマイクロコントローラ４３５を備える。マイクロコントローラ４３５は、通常の配線及び基板実装コネクタによって入力装置４４４及び電源４４２と電気的に接続される。マイクロコントローラ４３５は、トランジスタ４３８及び４３９によって光源４７０及び４７８の発光ダイオード４７７及び４７８と電気的に接続されて、入力装置４４４からの信号に基づいてパルス幅変調によって光源４７０及び４７８の強度及び／または温度を制御する。制御回路４４２は、マイクロコントローラ４３５と電気的に接続されたＩＲ受信器４４１をさらに含む。ＩＦ受信器４４１は、リモコン５００からＩＲ受信器４４１が受信した無線信号に対応する信号をマイクロコントローラ４３５に送信して、光源４７０及び４７８の強度及び／または温度をパルス幅変調により制御する。マイクロコントローラ４３５は、メモリシステム（図示せず）と、メモリシステムに記憶されたソフトウェアモジュール（図示せず）とを備える。マイクロコントローラ４３５は、Ａｒｄｕｉｎｏ  Ｃｏｒｐｏｒａｔｉｏｎ（ｗｗｗ．ａｒｄｕｉｎｏ．ｃｃ／ｅｎ）製のＡｒｄｕｉｎｏ  Ｕｎｏ  Ｒｅｖ３型コントローラであってよく、１５０  Ｖａｒｉｃｋ  Ｓｔｒｅｅｔ，  Ｎｅｗ  Ｙｏｒｋ，  ＮＹ  １００１３のＡｄａｆｒｕｉｔ  Ｉｎｄｕｓｔｒｉｅｓ，Ｉｎｃ．（ｈｔｔｐ：／／ｗｗｗ．ａｄａｆｒｕｉｔ．ｃｏｍ）から部品番号５０としてオンラインで入手可能であり、当該マイクロコントローラはソフトウェアモジュールでプログラム可能である。マイクロコントローラ４３５は、現在及び／または将来開発される任意のタイプの電子回路及び／またはディスクリート回路であってもよい。ソフトウェアモジュールは、入力装置４４４（図３１）及びリモコン５００（図３２）の様々なボタンの所望の機能に基づいてソフトウェアまたはコードで容易に書き込むことができる。ソフトウェアモジュールは、入力装置４４４から受信した信号に基づいて、すなわち、増光ＬＥＤボタン４４６、減光ＬＥＤボタン４４７、ＬＥＤ温度上昇ボタン４４８、またはＬＥＤ温度低下ボタン４４９の作動によって、光源４７０及び４７８の発光ダイオード４７６及び４７７の強度及び／または温度を制御するために、マイクロコントローラ４３５にトランジスタ４３８及び４３９に制御信号を送信するように指示するように構成されたソフトウェアまたはコードを含む。ソフトウェアモジュールは、増光ＬＥＤボタン５０４、減光ＬＥＤボタン５０５、ＬＥＤ温度上昇ボタン５０６、ＬＥＤ温度上昇ボタン５０８、固定完全寒温ボタン５１０、固定中間温度ボタン５１２、固定完全暖温ボタン５１４、メモリボタン５１６、メモリボタン５１８またはメモリボタン５２０の作動によって、ＩＲ受信器４４１を介して、マイクロコントローラ４３５に、制御信号をトランジスタ４３８及び４３９に送信して、リモコン５５０から受信された信号に基づいて���光源４７０及び４７８の発光ダイオード４７６及び４７７の強度及び／または温度の制御を指示するよう構成されたソフトウェアまたはコードを含む。ソフトウェアモジュールは、リモコン５５０から受信した信号に基づいて、ＲＦ受信機４４１を介して、カメラ作動ボタン５２２の作動によって、マイクロコントローラ４３５に無線通信チップ４３７に制御信号を送信して通信装置５０のカメラ５２を作動させることを指示するよう構成されたソフトウェアまたはコードをさらに備える。マイクロコントローラ４３５は、Ｃ／Ｃ＋＋プログラミング言語でプログラムまたは実装することができる。電源４４２は、様々な電気部品に適切な電力を供給することができる任意のタイプの電源とすることができる。電源４４２は、壁の電気用コンセントなどのＡＣ電源（図示せず）に接続される。
【００２８】
図３４を参照すると、本発明によるライトスタンド７００の斜視図が、三脚スタンド４０２（前述）に固定されたライトユニット４２２（前述）、ライトユニット４２２の中央可撓性アーム４６２と取り外し可能に係合されて、電子通信装置５０を横向きに支持する留め具７１０、及び自撮り写真または自撮りビデオの撮影を制御するリモコン５００（前述）を示す。留め具７１０を除けば、ライトスタンド７００は、これまで説明したようにライトスタンド４００と同じである。
【００２９】
図３５〜図３９に示すように、留め具７１０は、ベース７１２、キャリアハウジング２４０（前述）、可動アーム２６２（前述）、及び固定アーム２８２（前述）を備える。留め具７１０は、ベース７１２で置き換えられたベース２１０（図１４〜図１６）以外、留め具２０８（前述）と同一である。ベース７１２は頂部７１４と底部７１６とを備える。ベース７１２の頂部７１４は留め具２０８（図１６）の前部２２２と同一である。底部７１６は、中央可撓性アーム４６２のオス型コネクタ４６８（図２７）の突起４６９に取り外し可能に係合する複数のスロット７２０を有するメス型コネクタ７１８を備える。ベース７１２はプラスチックで作られ、通常の成形プロセスによって製造することができる。
【００３０】
別の実施形態では、鏡面を有するより大きなサイズの鏡または全身用の鏡を複数の磁石と共に使用でき、その結果留め具２０８を異なる位置または鏡面と同程度の高さに配置することができる。例えば、装置は、鏡面を含む全身用の鏡と、全身用の鏡及び電子通信装置と係合して自撮り写真または自撮りビデオを撮影するために鏡面の前にカメラを配置する留め具２０８とを含むことができる。全身用の鏡は、下部固定エリア、中間固定エリア、及び上部固定エリアを画定する複数の磁石を含む。留め具２０８は、人がカメラの高さを調節することを可能にする下部固定エリア、中間固定エリアまたは上部固定エリアに取り外し可能に係合される。他の実施形態と同様に、装置は、制御回路と、制御回路に接続され、ビデオの自撮り写真を撮影するためにカメラを作動させる入力装置とを備えることができる。
【００３１】
前述の説明は、主として説明を目的とすることを意図したものである。本発明は、本発明の精神または範囲から逸脱することなく、他の形態で実施することができ、または他の方法で実施することができる。依然として本発明の精神または範囲内にある変更及び変形について、当業者には容易に明らかであろう。
【図１】
0006513214.tif 000002
【図２】
0006513214.tif 000003
【図３】
0006513214.tif 000004
【図４】
0006513214.tif 000005
【図５】
0006513214.tif 000006
【図６】
0006513214.tif 000007
【図７】
0006513214.tif 000008
【図８】
0006513214.tif 000009
【図９】
0006513214.tif 000010
【図１０】
0006513214.tif 000011
【図１１】
0006513214.tif 000012
【図１２】
0006513214.tif 000013
【図１３】
0006513214.tif 000014
【図１４】
0006513214.tif 000015
【図１５】
0006513214.tif 000016
【図１６】
0006513214.tif 000017
【図１７】
0006513214.tif 000018
【図１８】
0006513214.tif 000019
【図１９】
0006513214.tif 000020
【図２０】
0006513214.tif 000021
【図２１】
0006513214.tif 000022
【図２２】
0006513214.tif 000023
【図２３】
0006513214.tif 000024
【図２４】
0006513214.tif 000025
【図２５】
0006513214.tif 000026
【図２６】
0006513214.tif 000027
【図２７】
0006513214.tif 000028
【図２８】
0006513214.tif 000029
【図２９】
0006513214.tif 000030
【図３０】
0006513214.tif 000031
【図３１】
0006513214.tif 000032
【図３２】
0006513214.tif 000033
【図３３】
0006513214.tif 000034
【図３４】
0006513214.tif 000035
【図３５】
0006513214.tif 000036
【図３６】
0006513214.tif 000037
【図３７】
0006513214.tif 000038
【図３８】
0006513214.tif 000039
【図３９】
0006513214.tif 000040